【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
トナー像が形成される像担持体と、
前記像担持体に形成されたトナー像が転写される第一転写ベルトと、
前記第一転写ベルトから記録材にトナー像を転写するための転写部を前記第一転写ベルトと形成し、前記転写部に記録材を搬送する無端状の第二転写ベルトと、
前記第二転写ベルトを内周面から押圧して前記転写部を形成させ、電圧の印加により前記第一転写ベルトから記録材にトナー像を転写可能な転写ローラと、
前記第二転写ベルトの内周面で前記第二転写ベルトの移動方向に関し前記転写ローラの下流に設けられ、前記転写ローラと前記第二転写ベルトを張架して前記第二転写ベルトに記録材の搬送面を形成する搬送面形成ローラと、
前記第二転写ベルトの内周面で前記第二転写ベルトの移動方向に関し前記搬送面形成ローラに隣り合うように前記搬送面形成ローラの下流に設けられ、前記第二転写ベルトを張架する張架ローラと、
前記第二転写ベルトの内周面で前記第二転写ベルトの移動方向に関し前記張架ローラに隣り合うように前記張架ローラの下流に設けられ、前記第二転写ベルトを駆動する駆動ローラと、を備え、
前記搬送面形成ローラは、回転軸線方向の両端部が回転軸線方向の中央部よりも小さい直径に形成され、
前記張架ローラは、回転軸線方向の両端部が回転軸線方向の中央部よりも大きい直径に形成され、
前記駆動ローラは、回転軸線方向に沿って実質的に同一の直径に形成されている、
ことを特徴とする画像形成装置。
【請求項２】
トナー像が形成される像担持体と、
前記像担持体に形成されたトナー像が転写される第一転写ベルトと、
前記第一転写ベルトから記録材にトナー像を転写するための転写部を前記第一転写ベルトと形成し、前記転写部に記録材を搬送する無端状の第二転写ベルトと、
前記第二転写ベルトを内周面から押圧して前記転写部を形成させ、電圧の印加により前記第一転写ベルトから記録材にトナー像を転写可能な転写ローラと、
前記第二転写ベルトの内周面で前記第二転写ベルトの移動方向に関し前記転写ローラの下流に設けられ、前記転写ローラと前記第二転写ベルトを張架して前記第二転写ベルトに記録材の搬送面を形成する搬送面形成ローラと、
前記第二転写ベルトの内周面で前記第二転写ベルトの移動方向に関し前記搬送面形成ローラに隣り合うように前記搬送面形成ローラの下流に設けられ、前記第二転写ベルトを張架する張架ローラと、を備え、
前記搬送面形成ローラは、回転軸線方向の両端部が回転軸線方向の中央部よりも小さい直径に形成され、
前記張架ローラは、回転軸線方向の両端部が回転軸線方向の中央部よりも大きい直径に形成され、
前記搬送面形成ローラの最大外径と最小外径の差をΔＲ１とし、前記第二転写ベルトの前記搬送面形成ローラの回転軸線方向の中央部に対する巻き付き角度をθ１とし、前記張架ローラの最大外径と最小外径の差をΔＲ２とし、前記第二転写ベルトの前記張架ローラの回転軸線方向の中央部に対する巻き付き角度をθ２とするとき、
ΔＲ１×θ１≦ΔＲ２×θ２
の関係式を満たす、
ことを特徴とする画像形成装置。
【請求項３】
前記搬送面形成ローラの最大外径をＲ１ｍａｘ、最小外径をＲ１ｍｉｎ、前記第二転写ベルトの前記搬送面形成ローラの回転軸線方向の中央部に対する巻き付き角度をθ１、前記第二転写ベルトの前記搬送面形成ローラの回転軸線方向の端部に対する巻き付き角度をθ３とするとき、
０．８＜｛（Ｒ１ｍａｘ／２）×θ１−（Ｒ１ｍｉｎ／２）×θ３｝
の関係式を満たす、
ことを特徴とする請求項１又は２に記載の画像形成装置。
【請求項４】
｛（Ｒ１ｍａｘ／２）×θ１−（Ｒ１ｍｉｎ／２）×θ３｝＜  １．２
の関係式を満たす、
ことを特徴とする請求項３に記載の画像形成装置。
【請求項５】
前記転写ベルトの降伏強度をＥ、前記転写ベルトにかかるテンションをＦとするとき、
Ｅ／Ｆ＞１６．３×｛（Ｒ１ｍａｘ／２）×θ１−（Ｒ１ｍｉｎ／２）×θ３｝−２．４
の関係式を満たす、
ことを特徴とする請求項３又は４に記載の画像形成装置。
【請求項６】
前記搬送面形成ローラは、回転軸線方向の中央部から両端部へ向かって連続的に直径が小さくなる正クラウン形状の周面を有し、
前記張架ローラは、回転軸線方向の中央部から両端部へ向かって連続的に直径が大きくなる逆クラウン形状の周面を有する、
ことを特徴とする請求項１乃至５のいずれか１項に記載の画像形成装置。
【請求項７】
前記第二転写ベルトは、樹脂材料又は金属材料で形成された層を有する、
ことを特徴とする請求項１乃至６のいずれか１項に記載の画像形成装置。
【手続補正２】
【補正対象書類名】明細書
【補正対象項目名】０００８
【補正方法】変更
【補正の内容】
【０００８】
本発明の画像形成装置は、トナー像が形成される像担持体と、前記像担持体に形成されたトナー像が転写される第一転写ベルトと、前記第一転写ベルトから記録材にトナー像を転写するための転写部を前記第一転写ベルトと形成し、前記転写部に記録材を搬送する無端状の第二転写ベルトと、前記第二転写ベルトを内周面から押圧して前記転写部を形成させ、電圧の印加により前記第一転写ベルトから記録材にトナー像を転写可能な転写ローラと、前記第二転写ベルトの内周面で前記第二転写ベルトの移動方向に関し前記転写ローラの下流に設けられ、前記転写ローラと前記第二転写ベルトを張架して前記第二転写ベルトに記録材の搬送面を形成する搬送面形成ローラと、前記第二転写ベルトの内周面で前記第二転写ベルトの移動方向に関し前記搬送面形成ローラに隣り合うように前記搬送面形成ローラの下流に設けられ、前記第二転写ベルトを張架する張架ローラと、前記第二転写ベルトの内周面で前記第二転写ベルトの移動方向に関し前記張架ローラに隣り合うように前記張架ローラの下流に設けられ、前記第二転写ベルトを駆動する駆動ローラと、を備え、前記搬送面形成ローラは、回転軸線方向の両端部が回転軸線方向の中央部よりも小さい直径に形成され、前記張架ローラは、回転軸線方向の両端部が回転軸線方向の中央部よりも大きい直径に形成され、前記駆動ローラは、回転軸線方向に沿って実質的に同一の直径に形成されている、ことを特徴とする。
本発明の画像形成装置は、トナー像が形成される像担持体と、前記像担持体に形成されたトナー像が転写される第一転写ベルトと、前記第一転写ベルトから記録材にトナー像を転写するための転写部を前記第一転写ベルトと形成し、前記転写部に記録材を搬送する無端状の第二転写ベルトと、前記第二転写ベルトを内周面から押圧して前記転写部を形成させ、電圧の印加により前記第一転写ベルトから記録材にトナー像を転写可能な転写ローラと、前記第二転写ベルトの内周面で前記第二転写ベルトの移動方向に関し前記転写ローラの下流に設けられ、前記転写ローラと前記第二転写ベルトを張架して前記第二転写ベルトに記録材の搬送面を形成する搬送面形成ローラと、前記第二転写ベルトの内周面で前記第二転写ベルトの移動方向に関し前記搬送面形成ローラに隣り合うように前記搬送面形成ローラの下流に設けられ、前記第二転写ベルトを張架する張架ローラと、を備え、前記搬送面形成ローラは、回転軸線方向の両端部が回転軸線方向の中央部よりも小さい直径に形成され、前記張架ローラは、回転軸線方向の両端部が回転軸線方向の中央部よりも大きい直径に形成され、前記搬送面形成ローラの最大外径と最小外径の差をΔＲ１とし、前記第二転写ベルトの前記搬送面形成ローラの回転軸線方向の中央部に対する巻き付き角度をθ１とし、前記張架ローラの最大外径と最小外径の差をΔＲ２とし、前記第二転写ベルトの前記張架ローラの回転軸線方向の中央部に対する巻き付き角度をθ２とするとき、ΔＲ１×θ１≦ΔＲ２×θ２の関係式を満たす、ことを特徴とする。
【手続補正３】
【補正対象書類名】明細書
【補正対象項目名】０００９
【補正方法】変更
【補正の内容】
【０００９】
本発明の画像形成装置では、第二転写ベルトを張架する異なる形状の複数のローラを組み合わせることで、転写部を通過する記録材に対するしわ伸ばし効果を十分に発揮させることができる。